(57)【要約】【課題】複数ページの原稿を読み取った結果を文字認識して出力するものであって、原稿におけるページ間で同一のものだけでなく、ページ間で変化するが同一視可能なものについても除外して出力可能とする。【解決手段】画像処理装置１は、複数ページの原稿を読み取った画像データをブロック単位に分割し、該ブロック毎に文字認識を行う文字認識部１５と、ブロック毎に、文字認識結果と、当該ブロックの位置するページを識別する情報及びページ内での位置情報とを有するブロック情報を生成するブロック情報生成部１６と、ブロック毎に、ブロック情報に基づいて、他のページの同一位置に、同一文字、同種文字またはそれらの組み合わせからなる文字列が存在するか否かの判定を行う判定部１７と、ブロック情報に判定部１７での判定結果を付加して記憶する記憶部１３と、を備える。【選択図】図１
2017046170.tif 000002
【特許請求の範囲】
【請求項１】
複数ページからなる原稿を読み取った画像データをブロック単位に分割し、該ブロック毎に文字認識を行う文字認識部と、
前記ブロック毎に、前記文字認識の結果と、当該ブロックが位置するページを識別する情報と、当該ブロックの前記ページ内での位置情報とを有するブロック情報を生成するブロック情報生成部と、
前記ブロック毎に、前記ブロック情報に基づいて、他のページの同一位置または該同一位置から予め定められた範囲内の位置に、同一文字、同種文字、又はそれらの組み合わせからなる文字列が存在するか否かの判定を行う判定部と、
前記ブロック情報に前記判定部での判定結果を付加して記憶する記憶部と、を備える画像処理装置。
【請求項２】
前記同種文字は、同種の序列文字であることを特徴とした請求項１に記載の画像処理装置。
【請求項３】
前記ブロック情報のうち、前記文字列が存在するとの判定結果が付されたものを削除し、残りの前記ブロック情報の前記文字認識の結果を連結する編集部を備えることを特徴とする請求項１または２に記載の画像処理装置。
【請求項４】
前記ページを識別する情報は、ページ番号の情報であり、
前記判定部は、奇数ページと偶数ページとを区別して前記判定を行うことを特徴とする請求項１〜３のいずれか１項に記載の原稿読取装置。
【請求項５】
前記判定部は、前記ページ内の所定の領域について前記判定を行うことを特徴とする請求項１〜４のいずれか１項に記載の原稿読取装置。
【発明の詳細な説明】
【技術分野】
【０００１】
本発明は、画像処理装置、特に、複数ページからなる原稿を読み取った画像データを文字認識して出力する画像処理装置に関する。
【背景技術】
【０００２】
複数ページからなる原稿をスキャナで読み取りＯＣＲ（Optical Character Recognition）により文字認識した後に出力する際、各ページに共通するもの、例えばタイトルや、ＵＲＬ（Uniform Resource Locator）、日付などは除外したものを出力することが望まれる場合がある。
【０００３】
特許文献１の画像処理装置は、複数ページからなる原稿の画像が入力された場合に、各ページにおける共通の画像を認識し、複数ページからなる原稿の画像から共通の画像を除去し、共通画像が除外された複数のページから成る原稿の画像を出力する。この画像処理装置は、共通画像が除外された複数ページからなる原稿の画像を１ページの画像に編集することができる。
【０００４】
また、特許文献２の画像処理装置は、ハンディスキャナで原稿を読み込むときに１回目の操作で読み込んだ画像データを文字認識した第１文字データ群と２回目の操作で読み込んだ画像データを文字認識した第２文字データ群とを比較してこれらの重複部分を検出する。そして、この画像処理装置では、上記重複部分を一方から取り除き、第１文字データ群と第２文字データ群とを１つに連結して出力する。
【先行技術文献】
【特許文献】
【０００５】
【特許文献１】特開２００２−２７２２８号公報
【特許文献２】特開平４−２１８８８７号公報
【発明の開示】
【発明が解決しようとする課題】
【０００６】
しかし、特許文献１の画像処理装置には、除外したい対象が例えばページ番号のようにページ毎に変化するものである場合、除外して出力することができない、という課題がある。特許文献２に開示の技術はこの課題を解決するものではない。
【０００７】
本発明は、上述のような実情に鑑み、複数ページからなる原稿を読み取った結果を文字認識して出力するものであって、原稿におけるページ間で同一のものだけでなく、ページ間で変化するが同一視可能なものについても除外して出力可能な画像処理装置を提供することをその目的とする。
【課題を解決するための手段】
【０００８】
上記課題を解決するために、本発明の第１の技術手段は、画像処理装置であって、複数ページからなる原稿を読み取った画像データをブロック単位に分割し、該ブロック毎に文字認識を行う文字認識部と、前記ブロック毎に、前記文字認識の結果と、当該ブロックが位置するページを識別する情報と、当該ブロックの前記ページ内での位置情報とを有するブロック情報を生成するブロック情報生成部と、前記ブロック毎に、前記ブロック情報に基づいて、他のページの同一位置または該同一位置から予め定められた範囲内の位置に、同一文字、同種文字、又はそれらの組み合わせからなる文字列が存在するか否かの判定を行う判定部と、前記ブロック情報に前記判定部での判定結果を付加して記憶する記憶部と、を備えることを特徴としたものである。
【０００９】
本発明の第２の技術手段は、第１の技術手段において、前記同種文字は、同種の序列文字であることを特徴としたものである。
【００１０】
本発明の第３の技術手段は、第１または２の技術手段において、前記ブロック情報のうち、前記文字列が存在するとの判定結果が付されたものを削除し、残りの前記ブロック情報の前記文字認識の結果を連結する編集部を備えることを特徴としたものである。
【００１１】
本発明の第４の技術手段は、第１〜３のいずれか１の技術手段において、前記ページを識別する情報は、ページ番号の情報であり、前記判定部は、奇数ページと偶数ページとを区別して前記判定を行うことを特徴としたものである。
【００１２】
本発明の第５の技術手段は、第１〜４のいずれか１の技術手段において、前記判定部は、前記ページ内の所定の領域について前記判定を行うことを特徴としたものである。
【発明の効果】
【００１３】
本発明によれば、複数ページからなる原稿を読み取った画像データに文字認識を行い出力する画像処理装置において、原稿におけるページ間で同一のものだけでなく、ページ間で変化するが同一視可能なものについても除外して出力できる。
【図面の簡単な説明】
【００１４】
【図１】本発明の第１の実施形態に係る画像処理装置の一例を示すブロック図である。
【図２】図１の画像処理装置が読み取る原稿の一例を示す図である。
【図３】図２の原稿の画像データをブロック毎に分割する態様を示す図である。
【図４】図１の画像処理装置による出力結果の一例を示す図である。
【図５】画像読取時及び文字認識時の図１の画像処理装置の処理例を説明するフローチャートである。
【図６】単語単位のリストの例を説明するための図である。
【図７】同一文字列又は同一擬制文字列が存在するか否かの判定に係る図１の画像処理装置での処理例を説明するフローチャートである。
【発明を実施するための形態】
【００１５】
以下、図面を参照しながら、本発明の画像処理装置の好適な実施形態について説明する。なお、以下の発明において、異なる図面においても同じ符号を付した構成は同様のものであるとして、その説明を省略することがある。
【００１６】
（第１の実施形態）
図１は、本発明の第１の実施形態に係る画像処理装置の一例を示すブロック図である。図２は、図１の画像処理装置が読み取る原稿の一例を示す図である。図３は、図２の原稿の画像データをブロック毎に分割する態様を示す図である。図４は、図１の画像処理装置による出力結果の一例を示す図である。
本発明の画像処理装置は、例えば、複写機や複合機等として構成することができる。
図１の画像処理装置１は、複写機として構成されたものであり、制御部１０、操作部１１、画像読取部１２、記憶部１３、画像形成部１４、文字認識部１５、ブロック情報生成部１６、判定部１７及び編集部１８を備える。
【００１７】
制御部１０は、ＣＰＵ（Central Processing Unit）等から構成されるもので、記憶部１３に記憶したプログラムを読み出して実行することで画像処理装置１全体を制御する。
【００１８】
操作部１１は、入力部１１ａと表示部１１ｂを有する。入力部１１ａは、ユーザからの入力を受け付けるタッチパネルやハードキーを有する。タッチパネルは、表示部１１ｂに重ねて配置され、表示部１１ｂの表示面に対するユーザの操作を検出する。ハードキーには画像処理装置１の電源ＯＮ／ＯＦＦするための電源キーやコピー部数等を設定するためのテンキーなどが含まれる。表示部１１ｂは例えば液晶パネルである。
【００１９】
画像読取部１２は、その内部にキャリッジ、結像レンズ、ＣＣＤ（Charge Coupled Device）等（図示省略）を有し、原稿台にセットされた原稿を光学的に読取可能に構成されている。上記原稿台に対しては不図示の自動原稿搬送装置が設けられている。
記憶部１３は、ＲＯＭ（Read Only Memory）やＲＡＭ（Random Access Memory），ＨＤＤ（Hard Disk Drive）などの各種記録媒体から成り、画像処理装置１の機能を実現させるプログラムや、ＰＣ（Personal Computer）などの外部機器から送信された印刷データ、画像読取部１２により読み取った画像データ等を記憶する。
【００２０】
画像形成部１４は、感光体ドラム、転写ローラ、定着ローラなどを有し、画像データに基づいて用紙などの記録紙上に印刷を行う。
【００２１】
文字認識部１５は、複数ページからなる原稿を読み取った画像データに文字認識を行うものである。
例えば、図２に示すように、原稿Ｄが、４ページからなり、２ページ目から４ページ目の上部に「タイトル１」が記載され、２、３、４ページ目の下部にはそれぞれ「−ページ１−」、「−ページ２−」、「−ページ３−」が記載され、中央部にはページ毎に異なる内容が記載されているものとする。
【００２２】
文字認識部１５は、画像解析により、例えば上下左右の空白の量に基づいて、図３に示すように、ブロック単位に分割する。図３の太線で囲まれた部分がブロックである。
そして、文字認識部１５は、ブロック毎に文字認識を行う。なお、ブロックには文字認識可能なブロックだけでなく、図３の３ページ目のブロックＢ１のように文字認識ができない等やイラスト、写真などを含むブロックがある。以下では、文字認識可能なブロックについては「文字ブロック」、文字認識ができないブロックについては「一般画像ブロック」という。
【００２３】
ブロック情報生成部１６は、文字ブロック毎に、当該文字ブロックの内容を示す文字ブロック情報を生成する。文字ブロック情報には、少なくとも、文字認識部１５による文字認識結果と、当該文字ブロックが位置するページを識別する情報と、当該文字ブロックの上記ページ内での位置情報とを有する。上記ページを識別する情報は例えばページ番号の情報である。文字ブロック情報は、記憶部１３に記憶される。
【００２４】
判定部１７は、文字ブロック毎に、文字ブロック情報に基づいて、他のページの同一位置に、同一文字列、または、同一文字列とみなすことができる同一擬制文字列が存在するか否か判定する。同一文字列とは、例えば、図２の原稿Ｄの２〜４ページ目の上部に記載された「タイトル１」のように、同順序で同一文字が並んだ文字列である。また、同一擬制文字列とは、例えば、図２の原稿Ｄの２〜４ページ目の下部に記載された「−ページ１−」、「−ページ２−」、「−ページ３−」のように、同順序で、同一文字と同種文字の組み合わせが並んだ文字列である。同一擬制文字列の判定に用いられる同種文字は予め記憶部１３に記憶されている。なお、同種文字は、数字「１、２、３、…」のような同種の序列文字に限られず、アルファベット「Ａ、Ｂ、Ｃ、…」、十干「甲、乙、丙、…」、１６進法の数字「１、２、３、…Ａ、Ｂ、…」のような序列文字であってもよい。また、同一擬制文字列は、同種文字のみからなってもよい。
【００２５】
判定部１７による、他のページの同一位置に同一文字列または同一擬制文字列から成る文字ブロックが存在するか否かの判定結果は、該当する文字ブロックの文字ブロック情報に付加されて記憶部１３に記憶される。文字ブロック情報への判定結果の付加方法は、例えば以下の通りである。すなわち、記憶部１３に記憶の文字ブロック情報が、上記判定結果を示す同一文字画像データフラグを含むようにし、同一文字列または同一擬制文字列から成る文字ブロックが存在するか否かに応じて上記フラグをＯＮ／ＯＦＦとすることで文字ブロック情報に上記判定結果を不可することができる。図３の例では、２〜４ページ目の上部の同一文字列からなる文字ブロックＢ２１〜Ｂ２３と、２〜４ページ目の下部の同一擬制文字列からなる文字ブロックＢ３１〜Ｂ３３については上記フラグがＯＮとされ、それ以外のブロックについては上記フラグがＯＦＦにされる。
【００２６】
編集部１８は、文字ブロック情報と、一般画像ブロックの内容を示す一般画像ブロック情報とに基づいて、出力用の画像データを生成する。編集部１８は、例えば、元の原稿の画像データから、同一文字画像データフラグがＯＮとされている上部の文字ブロックＢ２１〜Ｂ２３と下部の文字ブロックＢ３１〜Ｂ３３を削除した画像データを作成する。この画像データに基づいて画像形成部１４で印刷することにより、画像処理装置１では、図４の出力画像Ｉのように、元の原稿のヘッダ部分とフッタ部分が削除された画像を印刷することができる。
【００２７】
以上のような構成により、画像処理装置１では、原稿におけるページ間で同一のものだけでなく、ページ間で変化するが同一視可能なものについても除外して出力できる。
【００２８】
図５は、画像読取時及び文字認識時の画像処理装置１の処理例を説明するフローチャートである。
制御部１０は、ページ番号を示す変数ｎを０とし（ステップＳ１）、画像読取部１２の自動原稿搬送装置に原稿が存在するか否か判定し（ステップＳ２）、存在しなければ（ＮＯの場合）、ステップＳ２に処理を戻し、存在すれば（ＹＥＳの場合）、画像読取部１２により原稿の読取を行う（ステップＳ３）。そして、原稿の全部について読取が完了し、読み取った画像データが記憶部１３に記憶されると、制御部１０は、ページ番号ｎをインクリメントし（ステップＳ４）、原稿のｎページ目の画像データを文字認識部１５により領域分離し、すなわち、ブロック単位に分割し（ステップＳ５）、文字ブロックと一般画像ブロックに分割する。次いで、制御部１０は文字ブロックがｎページ目に存在するか否か判定する（ステップＳ６）。
【００２９】
文字ブロックが存在しない場合（ＮＯの場合）、制御部１０は処理をステップＳ１１へ進める。文字ブロックが存在する場合（ＹＥＳの場合）、制御部１０は、ブロック情報生成部１６によって、当該文字ブロックの位置情報としてブロック開始位置の座標情報（ｓｘ，ｓｙ）とブロック終了位置の座標情報（ｅｘ，ｅｙ）を取得し（ステップＳ７）、当該文字ブロックの文字認識を行い（ステップＳ８）、字句解析を行い（ステップＳ９）、文字認識結果を単語単位で区切る。そして、当該文字ブロックの文字ブロック情報を生成する（ステップＳ１０）。文字ブロック情報には、ページの番号ｎの情報と、ブロック開始位置の座標情報及びブロック終了位置の座標情報と、が含まれ、さらに、上記文字認識結果であり字句解析結果である単語単位のリストと、ＯＦＦにされた同一文字画像データフラグとが含まれる。
【００３０】
図６は、単語単位のリストの例を説明するための図である。
図３の原稿の画像データが入力されている場合、図６の「単語ｍ」がｍ個目の単語を示すものとすると、２〜４ページ目の上部の同一文字列からなるブロックＢ２１〜Ｂ２３の単語単位のリストは、図６（Ａ）に示すように、単語１が「タイトル」、単語２が「１」となる。また、２ページ目の下部の同一擬制文字列からなるブロックＢ３１の単語単位のリストは、図６（Ｂ）に示すように、単語１が「−」、単語２が「ページ」、単語３が「１」、単語４が「−」となる。３ページ目の下部のブロックＢ３２の単語単位のリストは、図６（Ｃ）に示すように、ブロックＢ３１のものと単語３のみが異なり、単語３は「３」となり、４ページ目の下部のブロックＢ３３の単語単位のリストは、上記ブロックＢ３２のものと同様に、図６（Ｄ）に示すように、単語３は「４」となる。
【００３１】
図５の説明に戻る。
文字ブロック情報生成後、制御部１０は次の文字ブロックが存在するか判定する（ステップＳ１１）。制御部１０は、存在する場合（ＹＥＳの場合）、ステップＳ７へ処理を戻し、次の文字ブロックについてステップＳ７〜Ｓ１０の処理を行う。
一方、次に文字ブロックが存在しない場合（ステップＳ１１、ＮＯの場合）、次のページが存在するか否か判定する（ステップＳ１２）。次のページが存在する場合（ＹＥＳの場合）、処理をステップＳ４に戻し、次のページについてステップＳ４〜Ｓ１１の処理を行い、存在しない場合（ＮＯの場合）は、処理を終了する。
【００３２】
図７は、同一文字列又は同一擬制文字列が存在するか否かの判定に係る画像処理装置１での処理例を説明するフローチャートである。
判定部１７は、例えば、記憶部１３に記憶の文字ブロック情報に基づいて、文字ブロック毎に別ページに同一の位置情報を有する文字ブロックが存在するか否か判定する（ステップＳ２１）。
存在しない場合（ＮＯの場合）、判定部１７は処理を終了し、存在する場合（ＹＥＳの場合）、判定部１７は、対象文字ブロック内のｋ番目の単語がステップＳ２３及びステップＳ２４の判定処理の対象となるかを示す変数ｋを１に設定する（ステップＳ２２）。
【００３３】
続くステップＳ２３では、制御部１０は、判定部１７により、対象文字ブロックのｋ番目の単語と、対象文字ブロックと同一の位置情報を有する他の文字ブロックのｋ番目の単語が同一であるか判定する（ステップＳ２２）。
同一でない場合（ＮＯの場合）、判定部１７は、処理をステップＳ２４へ進め、同一である場合（ＹＥＳの場合）、処理をステップＳ２５へ進める。
【００３４】
ステップＳ２４では、判定部１７は、対象文字ブロックのｋ番目の単語と、対象文字ブロックと同一の位置情報を有する他の文字ブロックのｋ番目の単語が同種の序列データであるか否かを記憶部１３を参照して判定する。
同種の序列データである場合（ＹＥＳの場合）、判定部１７は、ステップＳ２５へ処理を進め、同種の序列データでない場合（ＮＯの場合）、処理を終了する。
【００３５】
ステップＳ２５では、次の単語が存在するか判定する（ステップＳ２５）。
次の単語が存在する場合（ＹＥＳの場合）、判定部１７は、変数ｋをインクリメントし（ステップＳ２７）、処理をステップＳ２３に戻し次の単語についてステップＳ２３〜Ｓ２５の処理を行い、次の単語が存在しない場合（ＮＯの場合）、対象文字ブロックの同一文字画像データフラグと、該ブロックと同一の位置情報を有する他の文字ブロックの上記フラグをＯＮにし（ステップＳ２６）、処理を終了する。
【００３６】
例えば、図３及び図６（Ａ）で示される２ページ目の上部の文字ブロックＢ２１は、３ページ目の上部の文字ブロックＢ２２との関係において、ステップＳ２３において、１番目の単語が同一であると判定される。次いで、ステップＳ２５において２番目の単語が存在するので、ステップＳ２７を経て、再度ステップＳ２３において、２番目の単語が同一であると判定される。そして、ステップＳ２５において、３番目の単語が存在しないと判定されるため、文字ブロックＢ２１と文字ブロックＢ２２についての同一文字画像データフラグはＯＮとされる。
【００３７】
図３及び図６（Ｂ）で示される２ページ目の下部の文字ブロックＢ３１は、３ページ目の下部の文字ブロックＢ３２との関係において、１、２、４番目の単語が同一であり、３番目の単語が同種の序列データであり、また、５番目の単語は存在しない。そのため、１〜４番目の単語については、ステップＳ２３とステップＳ２４のいずれかの判定処理を経てステップ２５の判定処理に至り、１〜３番目の単語の際は、ステップＳ２５の判定処理において、ステップＳ２７を経てステップＳ２３に処理を戻すよう判定されるが、４番目の単語の際は、ステップＳ２５において、次の５番目の単語が存在しないと判定されるため、文字ブロックＢ３１と文字ブロックＢ３２についての同一文字画像データフラグはＯＮとされる。
【００３８】
（第２の実施形態）
第１の実施形態の画像処理装置１では、図４に示すように、同一文字画像データフラグがＯＦＦとされている文字ブロック情報を削除した上で、同一文字画像データフラグがＯＦＦとされている文字ブロック情報と一般画像情報とが、元の原稿と同じ位置に出力されていた。
それに対し、第２の実施形態の画像処理装置では、編集部１８が、文字ブロック情報のうち、同一文字画像データフラグがＯＮのものを削除し、残りの文字ブロック情報の文字認識結果を連結した画像データを出力する。
【００３９】
そのため、画像処理装置１では、例えば、削除された同一文字画像データフラグがＯＮの文字ブロックの位置に次の同一文字画像フラグがＯＦＦの文字ブロックをスライドさせるように文字ブロックを詰めて出力する。そのような出力を可能とする画像データを編集部１８が生成する。
また、ｐ番目とｐ＋２番目の文字ブロックの同一文字画像データフラグがＯＦＦであり、ｐ＋１番目の文字ブロックの同一文字画像データフラグがＯＮの場合、ｐ番目の文字ブロックが句点で終了していないときは、ｐ番目の文字認識結果における最後の文字の後にｐ＋２番目の文字認識結果における最初の文字が連続するように出力する画像データを編集部１８が生成するようにしてもよい。
【００４０】
なお、第１及び第２の実施形態において、同一文字画像データフラグがＯＮの文字ブロックを削除して出力する際、一般画像ブロックについても削除して出力されるよう、編集部１８が出力用の画像データを生成するようにしてもよい。
【００４１】
（第３の実施形態）
第１の実施形態では、判定部１７が、文字ブロック毎に、他のページの同一位置に同一文字列または同一擬制文字列からなる文字ブロックが存在するか否かを判定していた。しかし、削除対象となる同一文字列または同一擬制文字列は必ずしも同一位置にあるわけではない。例えば、「ページ９９」と「ページ１００」という文字列は同一擬制文字列であるが文字数が異なるため同一位置に表示されない場合もある。
したがって、第３の実施形態では、判定部１７が、文字ブロック毎に、他のページの同一位置または同一位置から予め定められた範囲内の位置に、同一文字列または同一擬制文字列からなる文字ブロックが存在するか否かを判定する。
【００４２】
（第４の実施形態）
原稿が本であるとき等、偶数ページと奇数ページとで同一位置にページ番号が表示されない場合がある。したがって、第４の実施形態では、判定部１７が、奇数ページと偶数ページとを区別して、文字ブロック毎に、他のページの同一位置または同一位置から予め定められた範囲内の位置に、同一文字列または同一擬制文字列からなる文字ブロックが存在するか否かを判定する。
【００４３】
（第５の実施形態）
以上の第１〜第４の実施形態では、全ての位置の文字ブロックが、同一存在判定対象となっていた。同一存在判定対象とは、他のページの同一位置または同一位置から予め定められた範囲内の位置に同一文字列または同一擬制文字列が存在するか否かの判定をし、存在する場合に同一文字画像データフラグをＯＮとする対象である。しかし、同一文字列または同一擬制文字列であっても削除せずに残すことが好ましい場合もある。例えば、章番号やアウトライン番号等は、同一文字列または同一擬制文字列であっても削除せずに残すことが好ましい。同一文字列や同一擬制文字列としてユーザが削除を希望すると思われるものは、ヘッダ部分やフッタ部分といった所定の領域にのみ存在することが多い。したがって、第５の実施形態では、判定部１７が、上記所定の領域に位置する文字ブロックのみ同一存在判定対象とする。なお、上記所定の領域は、例えば、ページの上部及び／または下部１０％（Ａ４サイズの用紙であれば上部／下部約１０ｍｍの領域）であり、ページの側部も所定の領域としてもよい。さらに、この所定の領域は、ユーザが設定可能であってもよい。
【００４４】
以上の例では、文字ブロック内の文字数または単語数の多さに関わらず同一存在判定対象としていた。しかし、文字ブロック内の文字数や単語数が多い場合、すなわち文字ブロック内に文章が記載されていると推定される場合、その文字ブロックを削除するのは適当ではないものと推定される。したがって、文字ブロック内の文字数や単語数が所定値以下の場合にのみ、同一存在判定対象としてもよい。
【符号の説明】
【００４５】
１…画像処理装置、１０…制御部、１１…操作部、１１ａ…入力部、１１ｂ…表示部、１２…画像読取部、１３…記憶部、１４…画像形成部、１５…文字認識部、１６…ブロック情報生成部、１７…判定部、１８…編集部。
【図１】
2017046170.tif 000003
【図２】
2017046170.tif 000004
【図３】
2017046170.tif 000005
【図４】
2017046170.tif 000006
【図５】
2017046170.tif 000007
【図６】
2017046170.tif 000008
【図７】
2017046170.tif 000009